(57)【要約】【課題】受信系回路を１系統に抑えつつダイバーシチ効果を得ることのできる無線通信装置を提供すること。【解決手段】２つのアンテナと、これら２つのアンテナのどちらか１つを選択するためのアンテナ切換スイッチ１０３と、選択されたアンテナによる送信と受信を時分割多重により実現するための送受信切換スイッチ１０５と、選択されたアンテナからの受信信号を処理する受信系回路１２０と、制御回路１１４とを備える。受信系回路１２０は、選択されたアンテナによる受信状態を判断するための指標値Ｖを算出してその値を制御回路１１４に通知し、制御回路１１４は、指標値Ｖに基づいて、アンテナ切換スイッチ１０３の切り換えを制御する。【選択図】　　図１
2004007145.tif 000002
【特許請求の範囲】
【請求項１】
複数のアンテナと、
前記複数のアンテナのいずれか１つを選択するアンテナ選択スイッチと、
前記アンテナ選択スイッチによって選択されたアンテナからの受信信号を処理する受信系回路と、
前記アンテナ選択スイッチをアンテナ選択信号によって制御する制御回路と、を備え、
前記受信系回路は、前記アンテナ選択スイッチによって選択されたアンテナによる受信状態を判断するための指標値を算出し、
前記制御回路は、前記指標値に基づいて前記アンテナ選択スイッチに前記アンテナ選択信号を供給することを特徴とする無線通信装置。
【請求項２】
前記制御回路は、
前記アンテナ選択スイッチによって選択されているアンテナの受信状態に関する指標値と予め設定された第１の閾値とを比較して、当該比較結果に応じてアンテナ切換信号を出力する第１の比較回路と、
前記第１の比較回路から出力されたアンテナ切換信号に応じてアンテナ選択信号を生成し、前記アンテナ選択信号を前記アンテナ選択スイッチに供給するアンテナ情報管理部と、
を有することを特徴とする請求項１記載の無線通信装置。
【請求項３】
前記制御回路は、
前記アンテナ切換スイッチによって選択されているアンテナの受信状態に関する指標値と予め設定された第２の閾値とを比較して、当該比較結果に応じてアンテナ固定制御信号を前記アンテナ情報管理部に送る第２の比較回路を有し、
前記アンテナ情報管理部は、前記第２の比較回路から送られたアンテナ固定制御信号に応じて、前記アンテナ選択信号の生成処理を停止することを特徴とする請求項２記載の無線通信装置。
【請求項４】
前記制御回路は、
前記アンテナ選択スイッチによって選択されているアンテナの受信状態に関する指標値から予め設定された第３の閾値を差し引いた差分値を算出する差分算出部を有し、
前記第１の比較回路は、前記差分値と予め設定された第４の閾値とを比較して、当該比較結果に応じてアンテナ切換信号を出力することを特徴とする請求項２記載の無線通信装置。
【請求項５】
前記指標値は、受信信号の受信電界強度、ＡＧＣゲイン値または誤り率であることを特徴とする請求項１、２、３または４記載の無線通信装置。
【請求項６】
送信データを処理して送信信号を生成する送信系回路を備え、
前記制御回路は、受信時に利用されたアンテナと同一のアンテナで前記送信信号を送信するよう前記アンテナ選択スイッチを制御することを特徴とする請求項１、２、３、４または５記載の無線通信装置。
【請求項７】
送信データを処理して送信信号を生成する送信系回路を備え、
前記制御回路は、
受信時に利用されたアンテナの選択回数をアンテナ毎にカウントし、最も多く選択されたアンテナを示す多数決情報を出力する多数決判定部を有し、
前記多数決情報が示すアンテナで前記送信信号を送信するよう前記アンテナ選択スイッチを制御することを特徴とする請求項１、２、３、４または５記載の無線通信装置。
【発明の詳細な説明】
【０００１】
【発明の属する技術分野】
本発明は、受信系回路を１系統に抑えつつもダイバーシチ効果を得ることのできる無線通信装置に関する。
【０００２】
【従来の技術】
従来、ダイバーシチ方式の無線通信装置は、複数のアンテナを備えると共に受信系回路を多重化し、各受信系回路から得られる受信レベル等の情報に基づいて受信状態が最も良いアンテナの受信信号を選択的に使用している（特開平６−２９１７０４号、特開平１０−２０９９３２号、特開２０００−３０７４９２号等参照）。当該ダイバーシチ方式の無線通信装置では、アンテナの本数を増加することで送受信性能を向上させることができる。
【０００３】
【発明が解決しようとする課題】
しかし、上記従来のダイバーシチ方式の無線通信装置では、アンテナの本数増加に併せて受信系回路も増やす必要があるため、部品点数の増加や信頼性の低下、製造コストの増大という問題点があった。
【０００４】
本発明は、上記従来の問題点に鑑みてなされたものであって、受信系回路を１系統に抑えつつダイバーシチ効果を得ることのできる無線通信装置を提供することを目的としている。
【０００５】
【課題を解決するための手段】
上記目的を達成するために、本発明に係る無線通信装置は、複数のアンテナと、前記複数のアンテナのいずれか１つを選択するアンテナ選択スイッチと、前記アンテナ選択スイッチによって選択されたアンテナからの受信信号を処理する受信系回路と、前記アンテナ選択スイッチをアンテナ選択信号によって制御する制御回路と、を備え、前記受信系回路は、前記アンテナ選択スイッチによって選択されたアンテナによる受信状態を判断するための指標値を算出し、前記制御回路は、前記指標値に基づいて前記アンテナ選択スイッチに前記アンテナ選択信号を供給する。
【０００６】
また、本発明に係る無線通信装置は、前記制御回路は、前記アンテナ選択スイッチによって選択されているアンテナの受信状態に関する指標値と予め設定された第１の閾値とを比較して、当該比較結果に応じてアンテナ切換信号を出力する第１の比較回路と、前記第１の比較回路から出力されたアンテナ切換信号に応じてアンテナ選択信号を生成し、前記アンテナ選択信号を前記アンテナ選択スイッチに供給するアンテナ情報管理部と、を有する。
【０００７】
したがって、受信系回路を１系統に抑えつつダイバーシチ効果を得ることができる。この結果、複数系統の受信系回路を有する無線通信装置と比較して部品点数を大幅に削減できるため、信頼性の向上および製造コストの削減を実現することができる。
【０００８】
また、本発明に係る無線通信装置は、前記制御回路は、前記アンテナ切換スイッチによって選択されているアンテナの受信状態に関する指標値と予め設定された第２の閾値とを比較して、当該比較結果に応じてアンテナ固定制御信号を前記アンテナ情報管理部に送る第２の比較回路を有し、前記アンテナ情報管理部は、前記第２の比較回路から送られたアンテナ固定制御信号に応じて、前記アンテナ選択信号の生成処理を停止する。したがって、制御回路の処理負担を軽減することができる。
【０００９】
また、本発明に係る無線通信装置は、前記制御回路は、前記アンテナ選択スイッチによって選択されているアンテナの受信状態に関する指標値から予め設定された第３の閾値を差し引いた差分値を算出する差分算出部を有し、前記第１の比較回路は、前記差分値と予め設定された第４の閾値とを比較して、当該比較結果に応じてアンテナ切換信号を出力する。したがって、受信系回路を１系統に抑えつつダイバーシチ効果を得ることができる。
【００１０】
また、本発明に係る無線通信装置は、前記指標値は、受信信号の受信電界強度、ＡＧＣゲイン値または誤り率である。
【００１１】
また、本発明に係る無線通信装置は、送信データを処理して送信信号を生成する送信系回路を備え、前記制御回路は、受信時に利用されたアンテナと同一のアンテナで前記送信信号を送信するよう前記アンテナ選択スイッチを制御する。
【００１２】
さらに、本発明に係る無線通信装置は、送信データを処理して送信信号を生成する送信系回路を備え、前記制御回路は、受信時に利用されたアンテナの選択回数をアンテナ毎にカウントし、最も多く選択されたアンテナを示す多数決情報を出力する多数決判定部を有し、前記多数決情報が示すアンテナで前記送信信号を送信するよう前記アンテナ選択スイッチを制御する。受信時に最も多く利用されたアンテナは環境が急に変化しない限り受信状態が良好であると同時に送信状態も良好であるため、当該アンテナを送信時に利用することによって送信状態を良好に保つことができる。
【００１３】
【発明の実施の形態】
以下、本発明に係る無線通信装置の実施の形態について、〔第１の実施形態〕、〔第２の実施形態〕、〔第３の実施形態〕、〔第４の実施形態〕の順に図面を参照して詳細に説明する。
【００１４】
〔第１の実施形態〕
図１は、本発明に係る第１の実施形態の無線通信装置の構成を示すブロック図である。同図に示すように、本実施形態の無線通信装置１００は、２本のアンテナ１０１，１０２と、それぞれ１系統の受信系回路１２０および送信系回路１３０と、アンテナ切換スイッチ１０３と、送受信切換スイッチ１０５と、制御回路１１４とを備えて構成される。なお、受信系回路１２０は受信回路１０７および復号回路１０９を有し、送信系回路１３０は送信回路１１１および符号化回路１１２を有している。
【００１５】
以下、本実施形態の無線通信装置が有する各構成要素について説明する。
まず、アンテナ切換スイッチ１０３は、２本のアンテナ１０１，１０２のいずれか一方を選択するためのスイッチである。また、送受信切換スイッチ１０５は、選択されたアンテナ１０１または１０２を用いた送受信を時分割で切り換えるためのスイッチである。なお、アンテナ切換スイッチ１０３は制御回路１１４から供給されるアンテナ選択信号１０４によって切り換えられ、送受信切換スイッチ１０５は制御回路１１４から供給されるＴＤＤ（Ｔｉｍｅ　Ｄｉｖｉｓｉｏｎ　Ｄｕｐｌｅｘ）制御信号１０６によって切り換えられる。
【００１６】
また、受信系回路１２０が有する受信回路１０７は、選択されたアンテナ１０１または１０２からアンテナ切換スイッチ１０３および送受信切換スイッチ１０５を介して入力される受信信号を復調して復号回路１０９へ出力するものである。本実施形態において、受信回路１０７は、選択されたアンテナ１０１または１０２による受信状態を判断するための指標値Ｖを算出し、この指標値Ｖを受信情報１０８として制御回路１１４へ出力する。指標値Ｖには、受信信号の受信電界強度やＡＧＣゲイン値、誤り率等が使用される。
【００１７】
また、受信系回路１２０が有する復号回路１０９は、受信回路１０７からの復調信号に対して誤り訂正や誤り検出等を含む所定の復号処理を実施し、復号したデータを受信データ１１０として出力するものである。
【００１８】
また、送信系回路１３０が有する符号化回路１１２は、送信データ１１３を符号化して送信回路１１１へ出力するものである。また、送信回路１１１は、符号化回路１１２からの符号化データを変調して送受信切換スイッチ１０５へ出力するものである。
【００１９】
また、制御回路１１４は、受信回路１０７から得られた指標値Ｖ（受信情報１０８）等に基づいてアンテナ選択信号１０４やＴＤＤ制御信号１０６を生成したり、送受信タイミングに合わせて各回路の動作を制御するための各種タイミング信号１１５を生成するものである。
【００２０】
図２は、第１の実施形態における制御回路の構成を示すブロック図である。同図に示すように、本実施形態の制御回路１１４は、閾値記憶部２０１と、比較回路２０２と、ＴＤＤ管理部２０３と、受信アンテナ情報管理部２０４と、各種タイミング生成回路２０５とを有して構成されている。
【００２１】
閾値記憶部２０１は、予め設定された閾値Ａ（特許請求の範囲の第１の閾値に該当する。）を記憶しておくための書き換え可能な不揮発性メモリである。また、比較回路２０２は、受信回路１０７から受信情報１０８として与えられた指標値Ｖと閾値記憶部２０１に記憶されている閾値Ａとを比較し、指標値Ｖが閾値Ａを下回っている場合（Ｖ＜Ａ）にアンテナ切換信号２０７を受信アンテナ情報管理部２０４へ出力するものである。また、ＴＤＤ管理部２０３は、ＴＤＤ制御信号１０６を生成するものである。なお、ＴＤＤ制御信号１０６で生成されたＴＤＤ制御信号１０６は、送受信切換スイッチ１０５へ供給されると共に、受信アンテナ情報管理部２０４にも供給される。
【００２２】
受信アンテナ情報管理部２０４は、ＴＤＤ管理部２０３からのＴＤＤ制御信号１０６と、比較回路２０２からのアンテナ切換信号２０７とに基づいて、受信時と送信時のそれぞれのタイミングにおいて２つのアンテナ１０１，１０２のいずれか一方を指定するアンテナ選択信号１０４を生成し、アンテナ切換スイッチ１０３に供給するものである。
【００２３】
なお、受信アンテナ情報管理部２０４は、そのとき受信アンテナとして選択されているアンテナがどちらのアンテナであるかを示す情報（フラグ）を書き換え可能な内部メモリ（図示せず）に保持しており、当該情報に従ってアンテナ選択信号１０４を生成する。そして、比較回路２０２からアンテナ切換信号２０７が送られると前記内部メモリの情報を他方のアンテナを示す情報に書き換え、次回の受信時には他方のアンテナを選択することを示すアンテナ選択信号１０４を生成し、アンテナ切換スイッチ１０３に供給する。
【００２４】
次に、本実施形態の無線通信装置１００の動作について説明する。当該装置を起動すると制御回路１１４が有する受信アンテナ情報管理部２０４が初期化され、受信アンテナ情報管理部２０４から既定のアンテナ選択信号１０４が出力される。これによって、２つのアンテナ１０１，１０２のどちらか一方を選択するようにアンテナ切換スイッチ１０３が初期設定される。ここでは、初期設定においてアンテナ１０１が選択されるものとする。その後、同期処理が行われ、通信が開始される。
【００２５】
受信時には、ＴＤＤ管理部２０３から受信状態への切り換えを指示するＴＤＤ制御信号１０６が出力され、これによって送受信切換スイッチ１０５が受信側に切り換えられる。その結果、送信側装置からの信号がアンテナ１０１で受信され、アンテナ切換スイッチ１０３および送受信切換スイッチ１０５を介して受信系回路１２０に入力される。受信系回路１２０では、受信回路１０７によって受信信号の復調処理が行われると共に、受信信号に基づく指標値Ｖの算出が行われる。復調された信号は復号回路１０９にて復号され、受信データとして出力される。また、算出された指標値Ｖは受信情報１０８として制御回路１１４ヘ送られる。
【００２６】
制御回路１１４では、比較回路２０２で指標値Ｖと閾値記憶部２０１に記憶されている閾値Ａとの比較が行われる。その結果、指標値Ｖが閾値Ａを下回っている場合には、比較回路２０２からアンテナ切換信号２０７が受信アンテナ情報管理部２０４に送られる。つまり、指標値Ｖが閾値Ａを下回っている場合のみアンテナ切換信号２０７がアクティブになり、指標値Ｖが閾値Ａを下回っていなければアンテナ切換信号２０７が非アクティブになる。
【００２７】
受信アンテナ情報管理部２０４では、アンテナ切換信号２０７が与えられると、内部メモリの情報を他方のアンテナを示す情報に書き換える処理が行われる。この場合、当初はアンテナ１０１を示す情報が書き込まれているので、アンテナ切換信号２０７が与えられるとアンテナ１０２を示す情報に書き換えられる。そして、ＴＤＤ管理部２０３からのＴＤＤ制御信号１０６に基づいて、次回の受信時にはアンテナ１０２を選択するアンテナ選択信号１０４が生成され、アンテナ切換スイッチ１０３へ供給される。その結果、次回の受信時にはアンテナ切換スイッチ１０３の設定が切り換えられ、アンテナ１０２で受信される。
【００２８】
送信時には、ＴＤＤ管理部２０３から送信状態への切り換えを指示するＴＤＤ制御信号１０６が出力され、これによって送受信切換スイッチ１０５が送信側に切り換えられる。アンテナ選択信号１０４は受信時のまま変化しない。その結果、送信系回路１３０から出力された送信信号、すなわち符号化回路１１２により符号化され送信回路１１１により変調された送信データが、送受信切換スイッチ１０５およびアンテナ切換スイッチ１０３を介して、そのとき受信用に選択されているアンテナ１０１または１０２に送られ、そこから送信先装置へと送信される。
【００２９】
以上説明したように、本実施形態の無線通信装置１００では、２本のアンテナ１０１，１０２に対し受信系回路１２０を１系統のみ備え、受信系回路１２０から得られる指標値Ｖに基づいて受信状態がより良い方のアンテナ１０１または１０２を選択的に使用しながら受信および送信を行う。したがって、２本のアンテナを有する場合は２系統の受信系回路を設ける必要のある従来の無線通信装置と比較して、本実施形態では部品点数を大幅に削減することができるため、信頼性の向上や製造コストの低減を実現することができる。また、アンテナの本数を３本以上に増やした場合でも受信系回路１２０の数を増やす必要がないため、部品点数の増加を抑えつつ送受信性能を向上させることができる。
【００３０】
なお、本実施形態において、制御回路１１４が有する比較回路２０２は閾値Ａと指標値Ｖとを比較し、指標値Ｖが閾値Ａを下回っている場合（Ｖ＜Ａ）にアンテナ切換信号２０７を出力しているが、指標値Ｖが閾値Ａを上回っている場合（Ｖ＞Ａ）にアンテナ切換信号２０７を出力するようにしても良い。
【００３１】
〔第２の実施形態〕
図３は、第２の実施形態の無線通信装置が有する制御回路の構成を示すブロック図である。同図において、図２（第１の実施形態）と重複する部分には同一の符号を付して説明を省略する。なお、無線通信装置が有する制御回路以外の構成要素については第１の実施形態と同様であるため、説明を省略する。
【００３２】
図３に示すように、第２の実施形態の制御回路１２４は、図２に示した第１の実施形態の制御回路１１４が有する構成要素に加えて、第２の閾値記憶部３０１および第２の比較回路３０２をさらに有している。以下、図２に示した閾値記憶部２０１を第１の閾値記憶部と称し、比較回路２０２を第１の比較回路と称する。
【００３３】
第２の閾値記憶部３０１は、予め設定された閾値Ｂ（特許請求の範囲の第２の閾値に該当する。）を記憶しておくための書き換え可能な不揮発性メモリである。また、第２の比較回路３０２は、受信回路１０７から受信情報１０８として与えられた指標値Ｖと第２の閾値記憶部３０１に記憶されている閾値Ｂとを比較し、指標値Ｖが閾値Ｂを上回っている場合（Ｖ＞Ｂ）にアンテナ固定制御信号３０３を受信アンテナ情報管理部２０４へ送るものである。
【００３４】
受信アンテナ情報管理部２０４は、第２の閾値記憶部３０１からアンテナ固定制御信号３０３が送られるとアンテナ選択信号１０４の生成処理を停止する。つまり、受信アンテナ情報管理部２０４は、アンテナ固定制御信号３０３が与えられている限り第１の比較回路２０２から送られるアンテナ切換信号２０７に応じたアンテナ情報（フラグ）の書き換えを行わず、アンテナ選択信号１０４を非アクティブ状態とする。
【００３５】
以上説明したように、本実施形態の無線通信装置によれば、受信回路１０７で算出される指標値Ｖが閾値Ｂを上回っている限り受信アンテナ情報管理部２０４はアンテナ切換信号２０７に応じたアンテナ切換処理を行わず、そのとき受信アンテナとして選択されているアンテナをそのまま受信アンテナとして固定的に使用する。したがって、制御回路１２４の処理負担を軽減することができる。
【００３６】
〔第３の実施形態〕
図４は、第３の実施形態の無線通信装置が有する制御回路の構成を示すブロック図である。同図において、図２（第１の実施形態）と重複する部分には同一の符号を付して説明を省略する。なお、無線通信装置が有する制御回路以外の構成要素については第１の実施形態と同様であるため、説明を省略する。
【００３７】
図４に示すように、第３の実施形態の制御回路１３４は、図２に示した第１の実施形態の制御回路１１４が有する構成要素に加えて、第３の閾値記憶部４０１および差分算出回路４０２をさらに有している。以下、図２に示した閾値記憶部２０１を第１の閾値記憶部と称する。
【００３８】
第３の閾値記憶部４０１は、予め設定された閾値Ｃ（特許請求の範囲の第３の閾値に該当する。）を記憶しておくための書き換え可能な不揮発性メモリである。また、差分算出回路４０２は、受信回路１０７から受信情報１０８として与えられた指標値Ｖと第３の閾値記憶部４０１に記憶されている閾値Ｃとの差分値Ｄ（＝Ｖ−Ｃ）を算出し、当該差分値Ｄを差分情報４０４として比較回路２０２へ送るものである。差分情報４０４を受け取った比較回路２０２は、差分値Ｄと第１の閾値記憶部２０１に記憶されている閾値Ａ（特許請求の範囲の第４の閾値に該当する。）とを比較し、差分値Ｄが閾値Ａを下回っている場合（Ｄ＜Ａ）にアンテナ切換信号２０７を受信アンテナ情報管理部２０４へ送る。
【００３９】
以上説明したように、本実施形態の無線通信装置によれば、閾値Ａを指標値Ｖと直接比較せず、指標値Ｖと別の閾値Ｃとの差分値Ｄを算出し、当該差分値Ｄと閾値Ａとを比較するようにしても、第１の実施形態の場合と同様の効果を得ることができる。
【００４０】
なお、本実施形態において、制御回路１３４が有する比較回路２０２は閾値Ａと差分値Ｄとを比較し、差分値Ｄが閾値Ａを下回っている場合（Ｄ＜Ａ）にアンテナ切換信号２０７を出力しているが、差分値Ｄが閾値Ａを上回っている場合（Ｄ＞Ａ）にアンテナ切換信号２０７を出力するようにしても良い。
【００４１】
〔第４の実施形態〕
図５は、第４の実施形態の無線通信装置が有する制御回路の一部の構成を示すブロック図である。同図において、図２（第１の実施形態）と重複する部分には同一の符号を付して説明を省略する。なお、無線通信装置が有する制御回路以外の構成要素については第１の実施形態と同様であるため、説明を省略する。
【００４２】
図５に示すように、第４の実施形態の制御回路１４４では、図２または図４に示した受信アンテナ情報管理部２０４がアンテナ情報管理部５０１に置き換えられている。本実施形態におけるアンテナ情報管理部５０１は、受信アンテナ情報管理部５０２と、多数決判定部５０３と、送信アンテナ情報管理部５０４と、切換制御部５０５とを有して構成されている。
【００４３】
受信アンテナ情報管理部５０２は、そのとき受信アンテナとして選択されているアンテナがどちらのアンテナであるかを示す情報（フラグ）を書き換え可能な内部メモリ（図示せず）に保持しており、当該情報に従ってアンテナ選択信号５０６を生成するものである。そして、比較回路２０２からアンテナ切換信号２０７が送られると前記内部メモリの情報を他方のアンテナを示す情報に書き換え、次回の受信時には他方のアンテナを選択するアンテナ選択信号５０６を生成し、切換制御部５０５へ出力する。さらに、受信アンテナ情報管理部５０２は、選択されたアンテナを示す受信アンテナ情報５０７を受信時毎に生成し、多数決判定部５０３へ出力する。
【００４４】
また、多数決判定部５０３は、受信アンテナ情報管理部５０２から送られた受信アンテナ情報５０７に基づいて、一定時間毎に、受信用のアンテナとして選択された回数をアンテナ１０１，１０２毎にカウントし、受信用のアンテナとしてより多く選択されたアンテナ１０１または１０２を示す多数決情報５０８を送信アンテナ情報管理部５０４へ送るものである。
【００４５】
また、送信アンテナ情報管理部５０４は、多数決判定部５０３から多数決情報５０８を受け取るとその都度、書き換え可能な内部メモリ（図示せず）に書き込み、常に最新の多数決情報５０８に更新する。そして、前記内部メモリに保持されている多数決情報５０８に従って、受信用のアンテナとしてより多く選択されたアンテナ１０１または１０２を送信用のアンテナとして選択するアンテナ選択信号５０９を生成し、切換制御部５０５へ送るものである。
【００４６】
また、切換制御部５０５は、ＴＤＤ管理部２０３から供給されたＴＤＤ制御信号１０６に基づいて、送受信切り換えタイミングと同期をとりつつ、受信時には受信アンテナ情報管理部５０２からのアンテナ選択信号５０７に従って、また、送信時には送信アンテナ情報管理部５０４からのアンテナ選択信号５０９に従って、２つのアンテナ１０１，１０２のいずれか一方を指定するアンテナ選択信号１０４を生成し、アンテナ切換スイッチ１０３へ供給するものである。
【００４７】
以上説明したように、本実施形態の無線通信装置では、現時点からさかのぼって一定の時間内に受信用のアンテナとしてより多く選択されたアンテナ１０１または１０２が送信用のアンテナとして選択される。したがって、受信用のアンテナとして多く選択されたアンテナ１０１または１０２は、環境が急に変化しない限り受信状態が良好であると同時に送信状態も良好であるので、現時点からさかのぼって一定の時間内に受信用のアンテナとして多く選択されたアンテナ１０１または１０２を送信用のアンテナとして選択することにより送信状態を良好に保つことができる。
【００４８】
なお、本実施形態では、制御回路１４４が有する多数決判定部５０３が受信用のアンテナとしてより多く選択されたアンテナを示す多数決情報５０８を出力するようにしたが、受信用のアンテナとして全て同じアンテナが選択された場合のみ、そのアンテナを示す多数決情報５０８を出力し、それ以外のときには予め定めた特定のアンテナを固定的に使用するようにしても良い。
【００４９】
以上説明した第１〜第４の実施形態では、２本のアンテナを備えた場合を例に説明したが、３本以上のアンテナを備えた場合にも本発明が適用可能であることはいうまでもない。本発明の無線通信装置は、アンテナが何本の場合であっても受信系回路は１系統だけで足り、その１系統の受信系回路から得られる指標値に基づいて受信状態が最も良いアンテナを選択的に使用しつつ、送信受することができる。
【００５０】
【発明の効果】
以上説明したように、本発明に係る無線通信装置によれば、受信系回路を１系統に抑えつつダイバーシチ効果を得ることができる。この結果、複数系統の受信系回路を有する無線通信装置と比較して部品点数を大幅に削減できるため、信頼性の向上および製造コストの削減を実現することができる。
【図面の簡単な説明】
【図１】本発明に係る第１の実施形態の無線通信装置の構成を示すブロック図
【図２】第１の実施形態の無線通信装置が有する制御回路の構成を示すブロック図
【図３】第２の実施形態の無線通信装置が有する制御回路の構成を示すブロック図
【図４】第３の実施形態の無線通信装置が有する制御回路の構成を示すブロック図
【図５】第４の実施形態の無線通信装置が有する制御回路の一部の構成を示すブロック図
【符号の説明】
１００　無線通信装置
１０１，１０２　アンテナ
１０３　アンテナ切換スイッチ
１０５　送受信切換スイッチ
１０７　受信回路
１０９　復号回路
１１１　送信回路
１１２　符号化回路
１１４，１２４，１３４，１４４　制御回路
１２０　受信系回路
１３０　送信系回路
２０１　閾値記憶部（第１の閾値記憶部）
２０２　比較回路（第１の比較回路）
２０３　ＴＤＤ管理部
２０４，５０２　受信アンテナ情報管理部
２０５　各種タイミング生成回路
３０１　第２の閾値記憶部
３０２　第２の比較回路
４０１　第３の閾値記憶部
４０２　差分算出回路
５０１　アンテナ情報管理部
５０３　多数決判定部
５０４　送信アンテナ情報管理部
５０５　切換制御部
【図１】
2004007145.tif 000003
【図２】
2004007145.tif 000004
【図３】
2004007145.tif 000005
【図４】
2004007145.tif 000006
【図５】
2004007145.tif 000007